(57)【要約】      （修正有）【課題】ワイヤのサクションにおいて、吸引作用を生ぜしめる領域を大きくし、さらにワイヤに横方向の引張力を与え、紙質に影響する乱流を生ぜしめない搬送装置を提供する。【解決手段】抄紙機において少なくとも１つのワイヤ１又は少なくとも１つのフェルトバンド２を処理するため、特に真空作用を加えるための装置である。ワイヤ又はフェルトバンドは装置によって循環させられ、この装置は、適当であるならば、真空源５，６に接続されている。装置は、ワイヤ又はフェルトバンドに配属された搬送装置を有しており、多数の支持エレメントが互いに間隔を置いて配置されている。【選択図】図１
2004250854.tif 000002
【特許請求の範囲】
【請求項１】
抄紙機においてワイヤ又はフェルトバンドを処理するための装置において、
ワイヤ又はフェルトバンドに配属された搬送装置が設けられており、
該搬送装置が、互いに間隔を置いて配置された複数の支持エレメントを有していることを特徴とする、抄紙機においてワイヤ又はフェルトバンドを処理するための装置。
【請求項２】
真空源が設けられており、該真空源が、前記搬送装置によって循環するワイヤ又はフェルトバンドに真空を作用させるように接続されていることを特徴とする、請求項１記載の抄紙機においてワイヤ又はフェルトバンドを処理するための装置。
【請求項３】
前記支持エレメントに、ワイヤ又はフェルトバンドに面した支持エレメントの側においてレストが設けられており、該レストが、ワイヤ又はフェルトバンドの移動に対して耐摩耗性の材料から形成されていることを特徴とする、請求項１記載の抄紙機においてワイヤ又はフェルトバンドを処理するための装置。
【請求項４】
前記支持エレメントが、ワイヤ又はフェルトバンドからの支持エレメントの距離に関して、前記搬送装置に対して調整可能であることを特徴とする、請求項１記載の抄紙機においてワイヤ又はフェルトバンドを処理するための装置。
【請求項５】
ワイヤ又はフェルトバンドに関して調節可能に配置されておりかつ前記支持エレメントを搬送する搬送ストリップが設けられていることを特徴とする、請求項４記載の抄紙機においてワイヤ又はフェルトバンドを処理するための装置。
【請求項６】
前記支持エレメントのうちの幾つかが前記搬送装置に固く取り付けられており、前記支持エレメントのうちの幾つかが、搬送装置に対して調節可能に支持されていることを特徴とする、請求項４記載の抄紙機においてワイヤ又はフェルトバンドを処理するための装置。
【請求項７】
前記支持エレメントが、ワイヤ又はフェルトバンドの移動方向に対して横方向に向けられた搬送ストリップ上に、互いに並置されていることを特徴とする、請求項４記載の抄紙機においてワイヤ又はフェルトバンドを処理するための装置。
【請求項８】
前記支持エレメントのうちの幾つかが前記搬送装置に調整可能に取り付けられていることを特徴とする、請求項７記載の抄紙機においてワイヤ又はフェルトバンドを処理するための装置。
【請求項９】
動作中にワイヤ又はフェルトバンドが前記搬送装置によって循環し、ワイヤ又はフェルトバンドの移動に対して耐摩耗性であるレストが、前記搬送装置の、ワイヤ又はフェルトバンドに面した側に配置されており、前記レストが、ワイヤ又はフェルトバンドの移動方向に対して横方向に、前記支持エレメントに面した縁部を有しており、該縁部に、ワイヤ又はフェルトバンドの移動方向に対して鋭角を成して延びた部分が形成されていることを特徴とする、請求項１記載の抄紙機においてワイヤ又はフェルトバンドを処理するための装置。
【請求項１０】
ワイヤ又はフェルトバンドの移動方向に対して横方向に延びた前記レストの前記縁部が、波形を有していることを特徴とする、請求項９記載の抄紙機においてワイヤ又はフェルトバンドを処理するための装置。
【請求項１１】
動作中にワイヤ又はフェルトバンドが前記搬送装置によって循環し、前記搬送装置が、ワイヤ又はフェルトバンドの移動方向に対して横方向に調整可能に取り付けられており、前記搬送装置をワイヤ又はフェルトバンドの移動方向に対して横方向に振動させるために、前記搬送装置に駆動装置が接続されていることを特徴とする、請求項１記載の抄紙機においてワイヤ又はフェルトバンドを処理するための装置。
【請求項１２】
前記搬送装置が吸引ボックスの一部を形成していることを特徴とする、請求項１記載の抄紙機においてワイヤ又はフェルトバンドを処理するための装置。
【請求項１３】
前記吸引ボックスが、ワイヤ又はフェルトバンドの移動方向に対して横方向に振動するように取り付けられており、前記吸引ボックスを振動させるために該吸引ボックスに駆動装置が接続されていることを特徴とする、請求項１２記載の抄紙機においてワイヤ又はフェルトバンドを処理するための装置。
【請求項１４】
前記支持エレメントが、ワイヤ又はフェルトバンドに面した端部を備えた、ワイヤ又はフェルトバンドに面した端部に挿入された耐摩耗性エレメントを有する管状片であることを特徴とする、請求項１記載の抄紙機においてワイヤ又はフェルトバンドを処理するための装置。
【請求項１５】
前記エレメントが、ワイヤ又はフェルトバンドの移動に対して耐摩耗性の材料から形成されていることを特徴とする、請求項１４記載の抄紙機においてワイヤ又はフェルトバンドを処理するための装置。
【請求項１６】
前記エレメントの上側が、ワイヤ又はフェルトバンドに面した端部を有しており、該縁部が、面取りされている若しくは丸み付けられており、前記エレメントに、反対側において、前記管状片に挿入するための延長部が形成されていることを特徴とする、請求項１４記載の抄紙機においてワイヤ又はフェルトバンドを処理するための装置。
【請求項１７】
前記縁部が傾斜させられていることを特徴とする、請求項１６記載の抄紙機においてワイヤ又はフェルトバンドを処理するための装置。
【請求項１８】
前記エレメントに、ワイヤ又はフェルトバンドに対して凸面上に湾曲した面が形成されていることを特徴とする、請求項１４記載の抄紙機においてワイヤ又はフェルトバンドを処理するための装置。
【発明の詳細な説明】
【技術分野】
【０００１】
本発明は製紙分野に関する。より具体的には、本発明は、抄紙機に設けられていてかつ循環させられる少なくとも１つのワイヤ（スクリーンバンド）、又はこの形式の抄紙機に設けられた少なくとも１つのフェルトバンド、の処理、特にこれらに対する真空作用のための装置に関する。適当であるならば、装置は、この装置に接続された真空源を有している。
【背景技術】
【０００２】
従来の抄紙機は、第１のプラント部と第２のプラント部とを有しており、第１のプラント部において、プラスチックから製造された少なくとも１つのワイヤ（スクリーン、ワイヤスクリーン又はスクリーンバンドとも呼ばれる）が配置されており、第２のプラント部には少なくとも１つのフェルトバンドが配置されている。２つのバンドは、プラントが運転中には、案内ローラ又は逸らせローラを介して循環させられる無端バンドである。スクリーンバンドには紙パルプが提供され、この紙パルプから、紙パルプに含まれている液体が、スクリーンバンドの移動経路に沿って排出される、特に吸い出される。引き続き、紙ウェブは、少なくとも１つの後続のフェルトバンド上へ搬送され、このフェルトバンドは、紙ウェブに含まれている残留湿気を吸収する。
【０００３】
スクリーンバンド及びフェルトバンドは、その移動経路に沿って配置された装置によって処理される。装置の第１のグループによって、スクリーンバンドの下側に通過し、紙ウェブから出現した液体ははぎ取られる。装置の別のグループによって、スクリーンバンド又はフェルトバンドは、吸引力によって作用される。これらの装置は、ワイヤ又はフェルトバンドに面した上側において、バンドの移動によって生ぜしめられる摩耗に対して高い耐性を有するように設計されている。
【０００４】
この形式の従来の装置は、この点に関して、スクリーンバンド又はフェルトバンドの移動方向に対して横方向に向けられたストリップを備えて構成されており、これらのストリップは、高い耐摩耗性材料、例えばセラミック材料から形成されている。ワイヤ又はフェルトバンドは、ストリップに当接する。
【０００５】
これらの装置が真空源に配属されている限り、ワイヤ又はフェルトバンドのできるだけ大きな領域に亘って吸引作用を生ぜしめる必要がある。この場合、技術的要求は互いに矛盾する。なぜならば、一方では、ワイヤ又はフェルトバンドはできるだけ大きな面積に亘って支持されるべきであり、他方では、吸引力が加えられるワイヤ又はフェルトの面積も、できるだけ大きいべきでもあるからである。さらに、１つの目的は、ワイヤ及びフェルトバンドを、移動方向に対して横方向に作用する引張力にさらすことであり、この引張力によってバンドは引っ張られ、その結果、バンドから繊維、液体及び同様のものを除去し易くなる。さらに、紙質に影響する乱流が、これらの引張負荷によって紙ウェブに生ぜしめられる。
【発明の開示】
【発明が解決しようとする課題】
【０００６】
したがって、本発明の課題は、この一般的な形式の従来公知の装置及び方法の前記欠点を克服する、抄紙機においてワイヤ又はフェルトスクリーンを処理するための装置を提供することである。すなわち、本発明の課題は、装置であって、この装置によって、上に与えられた条件が、ワイヤ又はフェルトバンドに面した側においてバンドの移動方向に対して横方向に延びたストリップが設けられた従来の装置よりも、より一層満足されるような装置を提供することである。
【課題を解決するための手段】
【０００７】
前記課題及びその他の課題を考慮して、本発明によれば、抄紙機においてワイヤ又はフェルトバンドを処理するための装置であって、
ワイヤ又はフェルトバンドに配属された搬送装置が設けられており、
該搬送装置が、互いに間隔を置いて配置された複数の支持エレメントを有している装置が提供される。
【０００８】
好適な実施形態によれば、搬送装置によって循環するワイヤ又はフェルトバンドに真空を作用させるように接続された真空源が設けられている。
【０００９】
換言すれば、前記課題及びその他の課題は、本発明によれば、少なくとも１つのワイヤ又は少なくとも１つのフェルトバンドに配属された搬送装置は、互いに間隔を置いて配置された複数の支持エレメントを有している。
【００１０】
好適には、支持エレメントは、ワイヤ又はフェルトバンドに面した側において、ワイヤ又はフェルトバンドの移動に関して耐摩耗性のレストが設けられている。さらに、支持エレメントは、ワイヤ又はフェルトバンドからの距離に関して搬送装置に対して調整可能であってよい。この場合、支持エレメントは、ワイヤ又はフェルトバンドに対して調整可能な支持ストリップ上に配置されていてよく、支持エレメントの一部は搬送装置に固く取り付けられており、支持エレメントの一部は、搬送装置に対して調整可能である。好適な実施形態によれば、支持エレメントは、ワイヤ又はフェルトバンドの移動方向に対して横方向に向けられた搬送ストリップ上に互いに隣接して配置されており、好適には搬送ストリップの少なくとも一部が、搬送装置に関して調整可能である。
【００１１】
好適には、ワイヤ又はフェルトに面した搬送装置の側には、ワイヤ又はフェルトバンドの移動に関して耐摩耗性のレストが設けられており、ワイヤ又はフェルトバンドの移動方向に対して横方向に支持エレメントに面したレストの縁部には、ワイヤ又はフェルトバンドの移動方向に対して鋭角で延びた部分が設けられている。特に、この場合、ワイヤ又はフェルトバンドの移動方向に対して横方向に延びたレストの縁部は、波形を有している。
【００１２】
別の好適な実施形態によれば、搬送装置はワイヤ又はフェルトバンドの移動方向に対して横方向に調整可能に配置されており、前記搬送装置は駆動装置に配属されており、この駆動装置によって、搬送装置はワイヤ又はフェルトバンドの移動方向に対して横方向に振動させられることができる。この場合、搬送装置は吸引ボックスの一部を形成していてよく、好適には吸引ボックスは、駆動装置によって移動方向に対して横方向に振動可能に設計されている。
【００１３】
さらに、好適には、支持エレメントは管状片として形成されており、この管状片には、ワイヤ又はフェルトバンドに面した端部において、ワイヤ又はフェルトバンドの移動に対して耐摩耗性の材料から成るエレメントが挿入されている。この場合、エレメントの、ワイヤ又はフェルトバンドに面した上側の縁部は、面取りされた、特に傾斜させられた又は丸味付けられた構成を有しており、これらのエレメントには、反対側において延長部が設けられていてよく、これらの延長部によってエレメントは管状片内に挿入されることができる。さらに、これらのエレメントには、ワイヤ又はフェルトバンドに対して凸面状に湾曲させられた面が設けられていてよい。
【００１４】
本発明にとって独特であると考えられるその他の特徴は従属請求項に示されている。
【００１５】
本発明は、ここでは、抄紙機に設けられておりかつ循環させられる少なくとも１つのワイヤ、又はこの形式のプラントに設けられた少なくとも１つのフェルトバンドの処理、特にこれらに対する真空作用のための装置において具体化されたものとして説明及び記載されているが、本発明は示された詳細に限定されるものではない。なぜならば、本発明の思想から逸脱することなく、また請求項の均等物の範囲内で、様々な修正及び構造的変更がなされてよいからである。
【００１６】
しかしながら、本発明の構造及び作動方法は、本発明の付加的な課題及び利点と共に、添付の図面を参照して読まれた場合に、特定の実施形態の以下の説明から最もよく理解されるであろう。
【発明を実施するための最良の形態】
【００１７】
図面、まず最初に特に図１を詳しく参照すると、紙ウェブ１０を製造するためのプラント又は設備が示されている。プラントは２つのプラント部分に組織されている。第１のプラント部分に配置されたプラスチックから製造されたワイヤ又はスクリーン１と、紙ウェブ１０の移動方向で後続の、プラント部分に配置された２対のフェルトバンド２とが設けられている。ワイヤ１は装置３に配属されており、この装置によって紙パルプが数メータの幅に亘ってワイヤ１上に吹き付けられる。それ自体が閉鎖されたワイヤ１は、複数の逸らせ若しくは案内ローラ１１を介して循環させられることができる。ワイヤ１の移動経路の第１の領域、つまり紙パルプを吹き付けるための装置３の下流において、ワイヤ１は３つの装置４に配属されており、これらの装置４は以下で図２Ａを参照にして説明される。さらに引き続き、ワイヤ１は複数の吸引装置５に配属されており、これらの吸引装置５は以下に図２Ｂを参照に説明される。吸引装置５には調整装置５１が設けられており、これらの調整装置５１によって吸引装置の動作モードが制御される。
【００１８】
第２のプラント部分に配置されたフェルトバンド２の対は、同様に、逸らせローラ及び案内ローラ２１によって循環させられることができる。フェルトバンド２は、吸引装置６に配属されており、これらの吸引装置６は以下で図２Ｃを参照にして説明される。案内及び逸らせローラのそれぞれのグループにおける少なくとも１つが、張設ローラ２１ａとして設計されている。
【００１９】
図２Ａから明らかなように、装置４には、ワイヤ１に面した側において、断面が三角形の搬送ストリップ４１が設けられており、この搬送ストリップ４１上には、ワイヤ１の移動方向Ａ及びこの移動方向に対して横方向に互いに並置された複数の支持エレメント４３のための搬送フレーム４２が配置されている。搬送フレーム４２は、搬送ストリップ４１に解放可能に取り付けられている。支持エレメント４３は搬送フレーム４２に固く取り付けられているのに対し、支持エレメント４４は、ワイヤ１に関する高さが、搬送フレーム４２に対して調節可能である。フレーム４２及び支持エレメント４３及び４４は、ワイヤ１に面した側において、レスト４２ａ，４３ａ，４４ａが設けられており、これらのレストは、耐摩耗性の高い材料、特にセラミック材料から形成されている。
【００２０】
図２Ｂから明らかなように、吸引装置５は、ワイヤ１の幅に亘って延びたハウジング５１から成っており、このハウジング内にはダクト５０が配置されており、このダクト５０には真空源が接続されている。同様にワイヤ１に面した側には搬送フレーム５２が配置されており、この搬送フレーム５２内には、定置の支持エレメント５３と調整可能な支持エレメント５４とが配置されている。搬送フレーム５２は同様にハウジング５１に解放可能に取り付けられている。搬送フレーム５２及び支持エレメント５３及び５４にも、耐摩耗性の高い材料、特にセラミック材料から成るレスト５２ａ，５３ａ，５４ａが設けられており、これらのレストに対してワイヤ１が当接する。ワイヤ１の移動方向は矢印Ａによって示されている。
【００２１】
図２Ｃから明らかなように、装置６は、フェルトバンド２の幅に亘って延びた管状のハウジング６１から成っており、このハウジング内にはダクト６０が配置されており、このダクト６０には同様に真空源が接続されている。フェルトバンド２に面したこのハウジング６１の側には、ハウジング６１に解放可能に取り付けられた搬送フレーム６２が取り付けられており、この搬送フレーム６２内には定置の支持エレメント６３と、フェルトバンド２に関して調節可能な支持エレメント６４とが配置されている。搬送フレーム６２及び支持エレメント６３及び６４には、耐摩耗性の高い材料、特にセラミック材料から成るレスト６２ａ，６３ａ，６４ａが設けられている。フェルトバンド２の移動方向は矢印Ｂによって示されている。
【００２２】
図３Ａ及び図３Ｂから明らかなように、吸引装置５の場合には、搬送フレーム５２は、その内部に配置された搬送ストリップ５５と搬送ストリップ５６とを有している。搬送ストリップ５５は、搬送フレームに固く配置されており、搬送ストリップには調節不可能な支持エレメント５３が取り付けられている。搬送ストリップ５６は、搬送フレーム５２の上側からの距離に関して調整可能であり、これらの搬送ストリップ５６には調整可能な支持エレメント５４が取り付けられている。さらに、ワイヤ１の移動方向Ａに対して横方向に、レスト５２ａの内側縁部５２ｂには、鋭角に延びた部分が設けられており、この部分は、特に波線の形状を有している。さらに、搬送フレーム５２には、ワイヤ１の縁部の領域に配属された側において、ワイヤに対して横方向調整可能な部分５７が設けられており、この部分５７によって、吸引オリフィスのサイズを設定することができる。これらの部分５７にも、耐摩耗性の高いレスト５７ａが設けられている。
【００２３】
同様に図３Ｂから明らかなように、さらに、ワイヤ１の移動方向Ａで見てレスト５２ａの前縁には、くさび形の延長部５２ｂが形成されており、この延長部５２ｂによって装置５の剥離動作が改良される。
【００２４】
支持エレメント５３及び５４の種々異なる高さにより、ワイヤ１は、支持エレメント５３及び５４上を通過する間波形を形成しながら移動させられ、その結果ワイヤは引張負荷を受ける。さらに、波線形状の縁部５２ｂにより、ワイヤ１は、搬送フレーム５２上を通過する間、移動方向Ａに対して横方向に搬送フレーム５２の平面に作用する引張負荷を受ける。これらの引張負荷の両方は、ワイヤ１に存在する不純物及び液体がワイヤからより簡単に除去されることができるという効果を有しており、これにより、液体が紙パルプから流出することがより容易になる。その結果、さらに、ワイヤ１に加えられる吸引力の作用が決定的に改良される。さらに、紙ウェブの品質に影響する乱流は、これらの引張負荷によって紙ウェブに生ぜしめられる。
【００２５】
図２に示した装置４の搬送フレーム４２は同じ構造を有しているが、この装置には真空源が接続されていない。
【００２６】
図４Ａ及び図４Ｂから明らかなように、フェルトバンド２に配属された吸引装置６は同様の構造を有している。この場合にも、搬送フレーム６２は、この搬送フレーム内に配置された、支持エレメント６３を備えた定置の搬送ストリップ６５と、フェルトバンド２に対して調整可能な搬送ストリップ６６とを有しており、この搬送ストリップ６６は、調整可能な支持エレメント６４を有しており、レスト６２ａの縁部６２ｂは、フェルトバンド２の移動方向Ｂに対して横方向で波線形状に形成されている。これによりフェルトバンド２に加えられる引張負荷の結果、フェルトバンドは、吸引装置６上を通過する間複数の方向に引っ張られ、その結果、これらのフェルトバンドに含まれている不純物及び液体がより容易に除去され、フェルトバンド２に加えられる吸引力の作用が増大される。縁部６２ｂが、フェルトバンド２の長手方向軸線に関して互いから増大する距離において延びている限りは、フェルトバンド２の移動方向に対して横方向に向けられた引張力が、これによりフェルトバンドに加えられ、その結果、フェルトバンド２におけるしわが回避される。この効果は、ワイヤ１に関する装置４，５の同様に設計された縁部にも当てはまる。
【００２７】
図５から明らかなように、支持エレメント４３は、互いに割り当てられたスロットによって搬送ストリップ４５上に配置された管状片として構成されていてよく、前記支持エレメントは、ねじエレメント４７によって搬送ストリップ４５に取り付けられている。キャップ４８は、管状片の、ワイヤ１またはフェルトバンド２に面した側の端部に挿入されている。この目的のために、キャップ４８には円筒状の延長部が設けられており、この延長部によってキャップは管状片に挿入されている。キャップ４８は耐摩耗性の高い材料、特にセラミック材料から製造されている。この場合、キャップ４８は、種々異なる三次元形状を有していてよい。特に、キャップは、面取りされている、特に傾斜されているか、丸み付けられていてよい。さらに、これらのキャップ４８は、ワイヤ１に対して湾曲されるように設計されていてよい。可動な支持エレメント４４及び支持エレメント５３，５４及び支持エレメント６３，６４は、同様に設計されていてよく、定置の又は調整可能な搬送ストリップに取り付けられていてよい。
【００２８】
図６Ａから明らかなように、このことは装置５，６にも当てはまり、装置４のハウジング４１は、搬送スタンド７１上で、ワイヤ１またはフェルトバンド２の移動方向Ａ及びＢに対して横方向に二重矢印Ｃの方向に前後に移動可能であり、前記ハウジングはサーボモータ７２に配属されており、このサーボモータによってハウジングは、偏心シャフト７３及びプッシュロッド７４を介して振動によって作用されることができる。
【００２９】
択一的に、図６Ｂに示したように、搬送フレーム４２は、二重矢印Ｃの方向で前後に移動可能であるようにハウジング４１に取り付けられており、前記搬送フレームは、ワイヤ１の移動方向Ａに対して横方向に、駆動モータ７２によって、偏心シャフト７３及びプッシュロッド７４によって振動Ｃが加えられる。搬送フレーム５２，６２も、ワイヤ１又はフェルトバンド２の移動方向Ａに対して横方向に移動可能に同じように取り付けられていてよい。
【００３０】
搬送フレーム及び支持エレメントのこの種の振動により、ワイヤ１又はフェルトバンド２は、より強く、複数の方向に作用する引張負荷を受け、その結果、引張負荷の作用、特にその吸引作用はさらに増大される。
【図面の簡単な説明】
【００３１】
【図１】本発明による装置が設けられた抄紙機の概略図である。
【図２Ａ】本発明による装置の３つの異なる実施形態のうちの一つを側面図及び断面図で示している。
【図２Ｂ】本発明による装置の３つの異なる実施形態のうちの別な一つを側面図及び断面図で示している。
【図２Ｃ】本発明による装置の３つの異なる実施形態のうちの更に別な一つを側面図及び断面図で示している。
【図３Ａ】本発明による装置の第４の実施形態の斜視図である。
【図３Ｂ】第４の実施形態の側面図である。
【図４Ａ】本発明による装置の第５の実施形態の斜視図である。
【図４Ｂ】第５の実施形態の側面図である。
【図５】５つの異なって構成された支持エレメントの斜視図の選択である。
【図６Ａ】ワイヤまたはフェルトバンドの移動方向に対して横方向に振動移動を行うことができる本発明による装置の斜視図である。
【図６Ｂ】このような装置の別の実施形態の斜視図である。
【符号の説明】
【００３２】
１  ワイヤ
２  フェルトバンド
３  装置
４  装置
５  吸引装置
６  吸引装置
１０  紙ウェブ
２１  案内ローラ
２１ａ  張設ローラ
４１  搬送ストリップ
４２  搬送フレーム
４３  支持エレメント
４４  支持エレメント
４２ａ  レスト
４３ａ  レスト
４４ａ  レスト
４５  搬送ストリップ
４７  ねじエレメント
４８  キャップ
５０  ダクト
５１  調整装置
５２  搬送フレーム
５３  定置の支持エレメント
５４  調整可能な支持エレメント
５２ａ  レスト
５２ｂ  内側縁部
５３ａ  レスト
５４ａ  レスト
５５  搬送ストリップ
５６  搬送ストリップ
５７  部分
５７ａ  レスト
６０  ダクト
６１  ハウジング
６２  搬送フレーム
６３  定置の支持エレメント
６４  調整可能な支持エレメント
６２ａ  レスト
６３ａ  レスト
６４ａ  レスト
７１  搬送スタンド
７２  サーボモータ
７３  偏心シャフト
７４  プッシュロッド
【図１】
2004250854.tif 000003
【図２Ａ】
2004250854.tif 000004
【図２Ｂ】
2004250854.tif 000005
【図２Ｃ】
2004250854.tif 000006
【図３Ａ】
2004250854.tif 000007
【図３Ｂ】
2004250854.tif 000008
【図４Ａ】
2004250854.tif 000009
【図４Ｂ】
2004250854.tif 000010
【図５】
2004250854.tif 000011
【図６Ａ】
2004250854.tif 000012
【図６Ｂ】
2004250854.tif 000013